(57)【要約】【課題】葬儀で使用する物品に対して、葬儀で使用するコンテンツを含む画像を投影する領域の設定を簡単な操作で確実に行うことができる葬儀コンテンツ画像の投影システム、及び葬儀コンテンツ画像の投影方法を提供する。【解決手段】葬儀で使用するコンテンツを含む画像を葬儀で使用する物品に対して投影する投影システムであって、当該投影システムは、投影部と、入力部と、演算部と、記憶手段とを備えており、演算部は入力部の操作と連動して変化するカーソルの現在座標を演算し、記憶手段はカーソルの現在座標を記憶し、投影部は、前記物品に対して、記憶手段に記憶されたカーソルの現在座標に対応する位置にカーソル像を投影し、カーソル像を目視確認しながら、入力部でカーソル像を移動させると共に前記画像を投影する領域を指定する葬儀コンテンツ画像の投影システム、及び葬儀コンテンツ画像の投影方法である。【選択図】図１
2018129764.tif 000002
【特許請求の範囲】
【請求項１】
葬儀で使用するコンテンツを含む画像を葬儀で使用する物品に対して投影する投影システムであって、
当該投影システムは、投影部と、入力部と、演算部と、記憶手段とを備えており、
演算部は入力部の操作と連動して変化するカーソルの現在座標を演算し、
記憶手段はカーソルの現在座標を記憶し、
投影部は、前記物品に対して、記憶手段に記憶されたカーソルの現在座標に対応する位置にカーソル像を投影し、
カーソル像を目視確認しながら、入力部でカーソル像を移動させると共に前記画像を投影する領域を指定する葬儀コンテンツ画像の投影システム。
【請求項２】
撮像部と、該撮像部で撮像した画像に基づいてカーソル像が表示された前記物品の画像を表示する画像表示部とをさらに備えており、
画像表示部に表示された画像を目視確認しながら入力部でカーソル像を移動させると共に前記画像を投影する領域を指定する請求項１に記載の葬儀コンテンツ画像の投影システム。
【請求項３】
撮像部と投影部は第１画像処理装置に接続され、
画像表示部と入力部は、第１画像処理装置とは離れた場所に設置された第２画像処理装置に接続され、
第１画像処理装置と第２画像処理装置とは電気通信回線を介して接続されており、
電気通信回線を介して第２画像処理装置の画像表示部に表示された画像を目視確認しながら入力部でカーソル像を移動させると共に前記画像を投影する領域を指定する請求項２に記載の葬儀コンテンツ画像の投影システム。
【請求項４】
入力部によって確定された前記画像を投影する領域の確定座標は、記憶手段に記憶され、
投影部は、背景画像に対して記憶手段に記憶された確定座標に対応する位置に背景画像とはコントラストが異なるマーカー像を重畳した投影画像を投影する請求項１ないし３のいずれかに記載の葬儀コンテンツ画像の投影システム。
【請求項５】
投影部は、背景画像に対して記憶手段に記憶されたカーソルの現在座標に対応する位置に背景画像とはコントラストが異なるカーソル像を重畳した投影画像を前記物品に対して投影するものである請求項１ないし４のいずれかに記載の葬儀コンテンツ画像画像の投影システム。
【請求項６】
入力部によって確定された前記画像を投影する領域の確定座標は、記憶手段に記憶され、
画像表示部は、撮像部で撮像され記憶部に記憶された前記物品の画像に対して記憶手段に記憶された確定座標に対応する位置にコントラストを強調したマーカー像を重畳した画像を表示する請求項２ないし５のいずれかに記載の葬儀コンテンツ画像の投影システム。
【請求項７】
画像表示部は、撮像部で撮像され記憶部に記憶された前記物品の画像に対して記憶手段に記憶されたカーソルの現在座標に対応する位置にコントラストを強調したカーソル像を重畳した画像を表示する請求項２ないし６のいずれかに記載の葬儀コンテンツ画像の投影システム。
【請求項８】
第１画像処理装置及び第２画像処理装置はそれぞれ通信部をさらに備えており、
第１画像処理装置の通信部と第２画像処理装置の通信部とは、電気通信回線を介して相互に通信可能であり、
第１画像処理装置の通信部から第２画像処理装置の通信部へ送信される情報は、第１画像処理装置において撮像部で撮像したカーソル像を含む前記物品の画像から抽出したカーソル像の現在座標を含み、
第２画像処理装置の通信部から第１画像処理装置の通信部へ送信される情報は、第２画像処理装置の演算部が演算して第２画像処理装置の記憶手段に保存されたカーソルの現在座標を含む請求項３ないし７のいずれかに記載の葬儀コンテンツ画像の投影システム。
【請求項９】
第１画像処理装置及び第２画像処理装置はそれぞれ通信部をさらに備えており、
第１画像処理装置の通信部と第２画像処理装置の通信部とは、電気通信回線を介して相互に通信可能であり、
第１画像処理装置の通信部から第２画像処理装置の通信部へ送信される情報は、撮像部で撮像したカーソル像が投影された前記物品の動画を含み、
第２画像処理装置の通信部から第１画像処理装置の通信部へ送信される情報は、カーソルの現在座標を含む請求項３ないし５のいずれかに記載の葬儀コンテンツ画像の投影システム。
【請求項１０】
葬儀で使用するコンテンツを含む画像を葬儀で使用する物品に対して投影する方法であって、
当該投影方法は、投影部と、入力部と、演算部と、記憶手段とを備える投影システムによって実施され、
演算部が入力部の操作と連動して変化するカーソルの現在座標を演算し、
記憶手段がカーソルの現在座標を記憶し、
投影部が、前記物品に対して、記憶手段に記憶されたカーソルの現在座標に対応する位置にカーソル像を投影し、
カーソル像を目視確認しながら、入力部がカーソル像を移動させると共に前記画像を投影する領域を指定する葬儀コンテンツ画像の投影方法。
【請求項１１】
葬儀で使用するコンテンツを含む画像を葬儀で使用する物品に対して投影する領域を指定する処理を実行させるプログラムであって、
入力部の操作と連動して変化するカーソルの現在座標を演算部に演算させ、
演算したカーソルの現在座標を記憶手段に記憶させ、
前記物品に対して、記憶手段に記憶されたカーソルの現在座標に対応する位置にカーソル像を投影部に投影させる
ステップを含む処理を画像処理装置に実行させるプログラム。
【発明の詳細な説明】
【技術分野】
【０００１】
本発明は、葬儀で使用するコンテンツを含む画像（以下、葬儀コンテンツ画像と称することがある。）を葬儀で使用する物品に対して投影する投影システム、葬儀コンテンツ画像の投影方法、及びそれらで使用するプログラムに関する。
【背景技術】
【０００２】
本発明者らが調査したところでは、近年は葬儀件数が増加する傾向にある。一方で、葬儀１件当たりの単価は２００６年を境に急激に減少している。このことから比較的に安価な葬儀を望むユーザーが増加する傾向にあることがうかがえる。
【０００３】
従来の葬儀では、白木などの木材で作った高価な祭壇が使用されてきた。祭壇は、輿、六灯、行灯、須弥壇など意匠を凝らした贅沢なつくりを備えており、従来は贅沢なものが好まれる傾向があった。
【０００４】
上述の通り、安価な葬儀を望むユーザーが増加する傾向にあり、従来の祭壇を使用した葬儀では、ユーザーの要望に十分に応えられないことがある。
【０００５】
上記のような事情もあってか、映像技術を利用した葬儀が提案されている。例えば、特許文献１には、棺の背部に祭壇表示用スクリーンを配置し、当該スクリーンに対して故人情報表示用フレームを有する祭壇像を投影すると共に、前記故人情報表示用フレームに故人情報を含む画像を投影する葬儀方法が記載されている。
【０００６】
特許文献２には、祭壇と会葬者席との間に紗幕を配置し、会葬者席側からプロジェクタによって映像を照射すると共に、紗幕と祭壇との間にスポットライトを配置し、司会者席に配置されるリモコンによってスポットライトを操作して遺影にスポットライトで光を照射する葬祭方法が記載されている。
【０００７】
映像技術に関しては、例えば、特許文献３に示されるような、プロジェクションマッピングと呼ばれる手法が知られている。特許文献３の発明では、投影部からショールームに配置された実物の椅子等に対して花柄やチェック柄の模様を投影すると共に部屋の床に対してマーカー画像（符号３１）を投影する。これによって、椅子やショールームの壁に種々の模様を投影して、ショールームの外観を様々に変化させることができる。マーカー画像は、ユーザーが手にした携帯端末のモニタに仮想のテーブル等を表示する際の位置を特定するとされている。
【先行技術文献】
【特許文献】
【０００８】
【特許文献１】特許第２７５４３５３号公報
【特許文献２】特許第４２８７３０９号公報
【特許文献３】特開２０１６−２１３７７６号公報
【発明の概要】
【発明が解決しようとする課題】
【０００９】
特許文献１の方法は、スクリーン対して、祭壇全体の画像を投影する。祭壇を投影する方法そのものは簡単であるため、コストはかからない。しかしながら、スクリーンに表示された祭壇では、実物の祭壇に比べると見劣りすることがある。特許文献２の方法は、紗幕に種々の画像を表示することによって、新たな特殊効果を得ることができる。紗幕を吊り下げる設備が必要であり、設備が大掛かりになる。
【００１０】
その点、特許文献３に示されるようなプロジェクションマッピングを使用し、例えば、祭壇の輪郭をかたどった平面的な板や、細部の造形を省略した立体物に対して祭壇の模様を投影するなどすれば、見栄えのする祭壇を現出させることができる。また、壁などに対して生花の画像を投影することによって、仮想の生花を現出させることもできる。このようにすれば、低コストで、視覚的にも見栄えがする祭壇を演出することができる。勿論、例えば、仏や鳳凰の画像などを祭壇に投影することによって、視覚的効果に富んだ祭壇を演出することもできる。
【００１１】
一方で、プロジェクションマッピングによって画像のコンテンツを投影する場合は、画像を投影する領域を事前に指定する必要がある。結婚式など事前に時間がとれる催しの場合は、時間をかけて事前に画像を投影する領域を設定してやればよい。
【００１２】
しかし、葬儀の場合は、突発的に葬式を開催する必要になることが多く、画像のコンテンツを投影する領域の設定などに時間をかけることができないことが多い。しかも、死者を弔う式であるため、投影する領域の設定に失敗するなどして適切に画像が表示されないといったことが許されない事情もある。
【００１３】
以上のような点に鑑みて、本発明は、葬儀で使用する物品に対して、葬儀の画像を投影する領域の設定を簡単な操作で確実に行うことができる葬儀コンテンツ画像の投影システム、葬儀コンテンツ画像の投影方法及びそれに使用するプログラムを提供することを目的とする。
【課題を解決するための手段】
【００１４】
葬儀で使用するコンテンツを含む画像を葬儀で使用する物品に対して投影する投影システムであって、当該投影システムは、投影部と、入力部と、演算部と、記憶手段とを備えており、演算部は入力部の操作と連動して変化するカーソルの現在座標を演算し、記憶手段はカーソルの現在座標を記憶し、投影部は、前記物品に対して、記憶手段に記憶されたカーソルの現在座標に対応する位置にカーソル像を投影し、カーソル像を目視確認しながら、入力部でカーソル像を移動させると共に前記画像を投影する領域を指定する葬儀コンテンツ画像の投影システム、及び葬儀コンテンツ画像の投影方法によって上記の課題を解決する。
【００１５】
葬儀で使用するコンテンツを含む画像を葬儀で使用する物品に対して投影する領域を指定する処理を実行させるプログラムであって、入力部の操作と連動して変化するカーソルの現在座標を演算部に演算させ、演算したカーソルの現在座標を記憶手段に記憶させ、前記物品に対して、記憶手段に記憶されたカーソルの現在座標に対応する位置にカーソル像を投影部に投影させるステップを含む処理を画像処理装置に実行させるプログラムによって、上記の課題を解決する。
【００１６】
上記の投影システム、及び投影方法は、撮像部と、該撮像部で撮像した画像に基づいてカーソル像が表示された前記物品の画像を表示する画像表示部とをさらに備えており、画像表示部に表示された画像を目視確認しながら入力部でカーソル像を移動させると共に前記画像を投影する領域を指定するものであることが好ましい。
【００１７】
上記の投影システム及び投影方法において、撮像部と投影部は第１画像処理装置に接続され、画像表示部と入力部は、第１画像処理装置とは離れた場所に設置された第２画像処理装置に接続され、第１画像処理装置と第２画像処理装置とは電気通信回線を介して接続されており、電気通信回線を介して第２画像処理装置の画像表示部に表示された画像を目視確認しながら入力部でカーソル像を移動させると共に前記画像を投影する領域を指定するものであることが好ましい。
【００１８】
上記の投影システム及び投影方法において、入力部によって確定された前記画像を投影する領域の確定座標は、記憶手段に記憶され、投影部は、背景画像に対して記憶手段に記憶された確定座標に対応する位置に背景画像とはコントラストが異なるマーカー像を重畳した投影画像を投影するものであることが好ましい。
【００１９】
上記の投影システム及び投影方法において、投影部は、背景画像に対して記憶手段に記憶されたカーソルの現在座標に対応する位置に背景画像とはコントラストが異なるカーソル像を重畳した投影画像を前記物品に対して投影するものであることが好ましい。
【００２０】
上記の投影システム及び投影方法において、入力部によって確定された前記画像を投影する領域の確定座標は、記憶手段に記憶され、画像表示部は、撮像部で撮像され記憶部に記憶された前記物品の画像に対して記憶手段に記憶された確定座標に対応する位置にコントラストを強調したマーカー像を重畳した画像を表示するものであることが好ましい。
【００２１】
上記の投影システム及び投影方法において、画像表示部は、撮像部で撮像され記憶部に記憶された前記物品の画像に対して記憶手段に記憶されたカーソルの現在座標に対応する位置にコントラストを強調したカーソル像を重畳した画像を表示するものであることが好ましい。
【００２２】
上記の投影システム及び投影方法において、第１画像処理装置及び第２画像処理装置はそれぞれ通信部をさらに備えており、第１画像処理装置の通信部と第２画像処理装置の通信部とは、電気通信回線を介して相互に通信可能であり、第１画像処理装置の通信部から第２画像処理装置の通信部へ送信される情報は、撮像部で撮像したカーソル像が投影された前記物品の動画を含み、第２画像処理装置の通信部から第１画像処理装置の通信部へ送信される情報は、カーソルの現在座標を含むものであることが好ましい。
【００２３】
上記の投影システム及び投影方法において、第１画像処理装置及び第２画像処理装置はそれぞれ通信部をさらに備えており、第１画像処理装置の通信部と第２画像処理装置の通信部とは、電気通信回線を介して相互に通信可能であり、第１画像処理装置の通信部から第２画像処理装置の通信部へ送信される情報は、第１画像処理装置において撮像部で撮像したカーソル像を含む前記物品の画像から抽出したカーソル像の現在座標を含み、第２画像処理装置の通信部から第１画像処理装置の通信部へ送信される情報は、第２画像処理装置の演算部が演算して第２画像処理装置の記憶手段に保存されたカーソルの現在座標を含む物であることが好ましい。
【発明の効果】
【００２４】
本発明によれば、葬儀で使用する物品に対して、葬儀の画像を投影する領域の設定を簡単な操作で確実に行うことができる葬儀コンテンツ画像の投影システム、葬儀コンテンツ画像の投影方法、及びそれらに使用するプログラムを提供することができる。
【図面の簡単な説明】
【００２５】
【図１】第１実施形態に係る画像投影システムの構成例を示す図である。
【図２】第１実施形態の画像投影システムで使用する画像処理装置の構成例を示す図である。
【図３】背景画像に対してカーソル像を重畳する処理を説明する図である。
【図４】背景画像に対してカーソル像及びマーカー像を重畳する処理を説明する図である。
【図５】画像を投影する領域を示す図形の説明図である。
【図６】第２実施形態に係る画像投影システムの構成例を示す図である。
【図７】第２実施形態の画像投影システムで使用する画像処理装置の構成例を示す図である。
【図８】画像表示部に表示される第２投影画像に相当する画像を示す図である。
【図９】明所で撮像した物品の静止画に強調したカーソル像を重畳する処理を説明する図である。
【図１０】第３実施形態に係る画像投影システムの構成例を示す図である。
【図１１】第３実施形態の画像投影システムで使用する第１画像処理装置と第２画像処理装置の構成例を示す図である。
【図１２】第４実施形態に係る画像投影システムの構成例を示す図である。
【図１３】第４実施形態の画像投影システムで使用する第１画像処理装置と第２画像処理装置の構成例を示す図である。
【図１４】第５実施形態に係る画像投影システムの構成例を示す図である。
【図１５】第５実施形態の画像投影システムで使用する第１画像処理装置と第２画像処理装置の構成例を示す図である。
【発明を実施するための形態】
【００２６】
以下、図面を参照して、本発明を実施するための形態について説明する。説明は、以下の順序で行う。
１．第１実施形態
第１実施形態は、物品に投影されたカーソル像を直接に目視確認しながら入力部を操作することにより投影領域を指定するように構成された例である。
２．第２実施形態
第２実施形態は、物品と物品に投影されたカーソル像を撮像部で撮像し、画像表示部に表示し、画像表示部に表示されたカーソル像を目視確認しながら入力部を操作することにより投影領域を指定するように構成された例である。
３．第３実施形態
第３実施形態は、電気通信回線を介して送信されたカーソル像と物品の画像とを含む画像を電気通信回線を介して第２画像処理装置に送信し、第２画像処理装置に接続された画像表示部に表示し、画像表示部に表示されたカーソル像を目視確認しながら入力部を操作することにより投影領域を指定するように構成された例である。
４．第４実施形態
第４実施形態は、第３実施形態において電気通信回線を介して第２画像処理装置に対して送信される情報を、後述する抽出した現在座標、物品の静止画、及び後述する確定座標を含む情報に変更した例である。
５．第５実施形態
第５実施形態は、第３実施形態において電気通信回線を介して第２画像処理装置に対して送信される情報を、後述するカーソル像の現在座標、及び物品の静止画を含む情報に変更し、第１画像処理装置に対して送信される情報を、後述するカーソルの現在座標を含む情報に変更した例である。
【００２７】
第１実施形態から第５実施形態の投影システムは、葬儀で使用される物品に対するプロジェクションマッピングにおいて好適に使用される。葬儀で使用される物品としては、例えば、通常の祭壇、祭壇の形状を模した平面状の板、祭壇の詳細な造形を省略した立体物、生花、生花の形状を模した平面状の板、生花の形状を模した立体物、生花用の名札、葬儀会場の壁面、葬儀会場に設置されたスクリーン、遺影のフレーム、掛け軸の形状を模した板又はスクリーン、提灯の形状を模した板又は立体物などが挙げられる。
【００２８】
葬儀コンテンツ画像としては、例えば、祭壇の詳細な造形を表した画像、生花の色彩及び/又は造形を表した画像、献花した者の名前の画像、故人の生前の経歴を表す画像、個人の生前の画像、蓮や鳳凰など葬儀で好まれるモチーフを表した画像、遺影の画像、仏像の画像、仏や菩薩の画像、提灯の模様や提灯に投影された光を模した画像などが挙げられる。葬儀コンテンツ画像は、静止画であってもよいし動画であってもよい。
【００２９】
上記のような安価で調達することができる物品に葬儀コンテンツ画像を以下に示す方法で投影すれば、実物を購入したり借りたりする必要がなくなる。これによって、葬儀にかかるコストを低減することができる。また、実物に対して葬儀コンテンツ画像を投射して、見栄えのする視覚的効果を得ることができる。
【００３０】
＜第１実施形態＞
＜画像投影システムの構成例＞
図１に、葬儀コンテンツ画像画像の投影システム（以下、単に画像投影システムと称する。）の構成の一例を示す。図１の画像投影システムは、画像処理装置１１と、画像処理装置１１に接続される投影部１２と、画像処理装置１１に接続される入力部１３と、画像処理装置１１に接続される画像表示部３０とを含む。
【００３１】
投影部１２は、図１に示したように、葬儀で使用する物品１４に対して、画像処理装置１１等に記憶されている葬儀コンテンツ画像、又は後述するカーソル像２１及び後述する背景画像２２を含む第１投影画像２７（図３）、若しくはこれらに加えてマーカー像２３を含む第２投影画像（図４）を投影する。投影部１２としては、例えば、プロジェクションマッピングで使用されるプロジェクタを使用する。
【００３２】
入力部１３は、オペレーターが行うクリックなどの所定の操作を受け付けて、その操作に対応して後述するカーソルの現在の座標（以下、現在座標と称する。）又は後述する葬儀コンテンツ画像を投影する領域を確定する点の座標（以下、確定座標と称する。）を画像処理装置１１に対して供給する。入力部１３としては、例えば、マウス、キーボード、ポインティングディバイスなどの入力機器を使用する。以下では、入力部としてマウスを使用する例について説明する。
【００３３】
画像処理装置１１としては、例えば、図２に示したコンピュータを使用する。画像処理装置１１は、図２に示したように、演算部１５と、記憶手段１６と、入力/主力インターフェイス１７と、演算部１５、記憶手段１６、及び入力/出力インターフェイス１７を繋いで、各部の間で情報交換を可能にする経路となるバス２４と、入力/出力インターフェイス１７に接続される上述の入力部１３と、入力/出力インターフェイス１７に接続される上述の投影部１２と、入力/出力インターフェイス１７に接続される画像表示部３０と、入力/出力インターフェイス１７に接続される記憶部１８と、入力/出力インターフェイス１７に接続される通信部１９と、入力/出力インターフェイス１７に接続される第２入力部２０とを備える。
【００３４】
図２に示したように、入力部１３と投影部１２と画像表示部３０と記憶部１８と通信部１９と第２入力部２０とは、それぞれ入力/出力インタフェイス１７に繋げられており、バス２４を介して演算部１５及び記憶手段１６と情報の交換が可能になっている。図２において、双方向の矢印は、双方向に情報の交換が可能なことを示し、一方向の矢印は、一方向にのみデータの交換が可能なことを示す（以下、同じ。）。
【００３５】
演算部１５としては、例えば、ＣＰＵを使用することができる。記憶手段１６としては、例えば、情報の読み書きが可能なＲＡＭなどのメモリを使用することができる。記憶部１８としては、例えば、ハードディスクドライブ、ソリッドステートドライブなどの不揮発性のメモリを使用することができる。通信部１９としては、例えば、ＩＥＥＥ１３９４等の規格に準拠したインターフェイスカード、ＬＡＮ接続用ネットワークインターフェイスカード、ＩＥＥＥ８０２．１１ａ、８０２．１１ｂ、８０２．１１ｇなどの規格に準拠した無線ＬＡＮルーター、Bluetooth(登録商標)準拠のインターフェイスユニットなどを使用することができる。第２入力部２０としては、例えば、ＵＳＢ規格に準拠したインターフェイスユニットや光学ドライブなどを使用することができる。
【００３６】
画像表示部３０は、後述するプログラムが入力/出力インターフェイス１７を介して、オペレーターに指示を求める際に、ＹＥＳ/ＮＯの選択肢を表示する際に使用する。画像表示部３０としては、例えば、ブラウン管、液晶、プラズマ、有機ＥＬなどの各種ディスプレイや、スクリーンとプロジェクタの組み合わせなどを使用することができる。
【００３７】
上の構成例では、投影部１２と画像処理装置１１とは、別々の筐体に格納されている。投影と画像処理装置とを一体化して一の筐体に格納した専用機としてもよい。
【００３８】
以上のように構成されている画像処理装置１１では、例えば、記憶部１８に記憶されているプログラムを、入力/出力インターフェイス１７、バス２４を介して記憶手段１６にロードし、演算部１５で演算処理を行うことにより、画像を投影するのに必要な処理が行われる。
【００３９】
上記のプログラムは、例えば、光学ディスクやフラッシュメモリーなどの記憶媒体２５を第２入力部２０に対してマウントし、入力/出力インターフェイス１７を介して記憶部１８に記憶させておくことができる。また、上記プログラムは、例えば、電気通信回線、通信部１９、入力/出力インターフェイス１７を介して記憶部１８に記憶させることもできる。
【００４０】
＜画像を投影する領域を指定する処理＞
マウス（入力部１３）を操作するなどしてプログラムを実行すると、プログラムは、図３に示したように、演算部１５に画像全体を無地とした背景画像２２を生成させて、記憶手段１６に記憶させる（Ｓ１）。このステップ１に替えて、予め作成しておいた背景画像２６を記憶手段１６に記憶させておいてもよい。
【００４１】
ステップ１が完了すると、プログラムは、演算部１５にマウス（入力部１３）の操作と連動して変化するカーソルの現在座標を演算させて、記憶手段１６に現在座標を記憶させる（Ｓ２）。カーソルの座標は、背景画像２２の任意の角を原点とし、そこからカーソルの現在位置におけるｘ軸方向又はｙ軸方向への距離を算出することによって求める。
【００４２】
ステップ２が完了すると、プログラムは、図３に示したように、演算部１５にステップ１で生成した背景画像２２と、記憶手段１６に記憶させておいたカーソル像２１とを重畳させて第１投影画像２７を生成し記憶手段１６に記憶させ、投影部１２から第１投影画像２７を葬儀に使用する物品１４（以下、単に物品と称する。）に対して投影させる（Ｓ３）。この処理を行う際には、ステップ２で得たカーソルの現在座標の情報を基に、背景画像２２の対応する位置にカーソル像２１が重畳される。背景画像２２に重畳されるカーソル像２１は、図３に示したように、背景画像２２とはコントラストが異なるため、カーソル像２１の視認性が高くなっている。より具体的には、カーソル像２１は白色であり、黒色の背景画像２２よりも明度の高いものとなっている。カーソル像２１は、背景画像２２の色や投影対象である物品１４の色又は形状を考慮して、コントラストをつければよい。
【００４３】
ステップ３が完了すると、プログラムは、マウス（入力部１３）から葬儀コンテンツ画像の投影する領域を指定する確定座標の指定があるまで、ステップ１からステップ３の処理を繰り返す。これによって、図１に示したように、物品１４の上には、カーソル像２１と背景画像２２とが重畳された第１投影画像２７が表示され続ける。ただし、図１には、後述するマーカー像２３が追加されているが、ステップ３が完了した時点ではマーカー像２３は投影されていない。マウス（入力部１３）によってカーソルの位置が変化すると、物品１４の上に表示されているカーソル像２１の位置がリアルタイムで変化する。このためオペレーターには、カーソル像２１は動画のように視認される。オペレーターは、物品１４の上に表示されたカーソル像２１の位置を目視確認しながら、マウス（入力部１３）を操作して、カーソル像２１を移動させる。オペレーターは、葬儀コンテンツ画像を投影すべき領域の任意の点（座標）にカーソル像２１が到達すると、マウス（入力部１３）をクリック（操作）して、葬儀コンテンツ画像を投影すべき点（確定座標）を確定する。
【００４４】
マウス（入力部１３）で確定座標が入力されると、プログラムは、図１及び図４に示したように、演算部１５に、ステップ１で生成した背景画像２２と、記憶手段１６に記憶させておいたカーソル像２１と、記憶手段１６に記憶させておいたマーカー像２３とを重畳させて第２投影画像２８を生成し、記憶手段１６に記憶させ、投影部１２から第２投影画像２８を物品１４に対して投影させる（Ｓ４）。この処理を行う際には、ステップ２で得た現在座標の情報を基に背景画像２２の対応する位置にカーソル像２１が重畳され、ステップ４で得た確定座標を基に背景画像２２の対応する位置にマーカー像２３が重畳される。
【００４５】
マーカー像２３は、オペレーターが確定した座標を点で示すものである。図１に示したように、オペレーターは、物品１４に投影された第２投影画像２８を目視確認することで、確定座標を軌跡として認識することが可能になる。マーカー像２３は、区別を容易にするために、カーソル像２１とは異なる色彩や形状となるようにすることが好ましい。また、マーカー像２１は、その視認性を向上させるために、背景画像２２や物品１４とは異なるコントラストとなるようにすることが好ましい。図１の例では、カーソル像は白色かつ十字とし、マーカー像は白色且つ円形とした。
【００４６】
オペレーターは、物品１４に投影された第２投影画像２８に含まれるカーソル像２１とマーカー像２３とを目視確認しながら点（確定座標）を指定する作業を複数回繰り返して、複数の点で物品に対して葬儀コンテンツ画像を投影すべき所望の領域を取り囲む作業を行う。マウス（入力部１３）が最初に指定した確定座標と同じ座標が指定されると、プログラムは、投影領域の指定が完了したと判断して、入力/出力インターフェイス１７を介して画像表示部３０に画像を投影する領域が選択したか否かについてＹＥＳ/ＮＯの選択肢を表示させる（Ｓ５）。
【００４７】
ステップ５においてＮＯが選択されると、プログラムは、上記のステップ２に戻って、ステップ２から処理を再開させる。
【００４８】
ステップ５においてＹＥＳが選択されると、プログラムは、入力/出力インターフェイス１７を介して画像表示部３０及び/又は物品１４の上に画像を投影する領域を示す図形３１（図５の第３投影画像２９）を表示すると共に、画像を投影する領域を示す図形３１（第３投影画像２９）が適切か否かについてＹＥＳ/ＮＯの選択肢を表示させる（Ｓ６）。図形３１は複数の確定座標を線で結んだ図形であり、演算部１５により生成され、記憶手段１６に記憶される。
【００４９】
ステップ６においてＮＯが選択されると、プログラムは、演算部１５に記憶手段１６に記憶されている第３投影画像２９から画像を投影する領域を示す図形２９を削除させて、上記のステップ２から処理を再開させる。
【００５０】
ステップ６においてＹＥＳが選択されると、プログラムは、演算部１５に投影画像２９に画像を投影する領域を示す図形を追加する処理を行わせると共に、入力/出力インターフェイス１７を介して画像表示部３０に画像を投影する領域の指定の入力を終了するか否かについてＹＥＳ/ＮＯの選択肢を表示させる（Ｓ７）。
【００５１】
ステップ７において、ＮＯが選択されると、プログラムはステップ２に戻って、第２番目の画像を投影する領域を示す図形を第３投影画像２９に追加する処理に移行させる。すなわち、ステップ７において、ＮＯを選択すると第３投影画像２９に複数の図形を追加し、葬儀コンテンツ画像を投影する領域を複数個指定することが可能になる。
【００５２】
ステップ７において、ＹＥＳが選択されると、画像を投影する領域を示す全ての図形３１が記憶手段１６又は記憶部１８に保存され、処理は終了する。
【００５３】
上記の処理の例では、ステップ６において、画像を投影する領域を示す図形３１を画像表示部３０に表示させて、オペレーターの承認を求めるようにした。画像３１は、投影部１２から物品１４に対して投影して、オペレーターに目視確認させるようにしてもよい。その場合は、図４の投影画像３において、斜線で示したように、確定座標を結んだ図形の画像は、オペレーターが確認する際の視認性を向上させるために、赤色や緑色など視認性の高い任意の色彩で着色することが好ましい。
【００５４】
＜葬儀コンテンツ画像の投影＞
物品に対して葬儀コンテンツ画像を投影する際には、上記のステップ５で生成した投影画像３や複数の確定座標の情報を基にして、投影する葬儀コンテンツ画像を幾何学的に変換したり、不要な領域のトリミングや、目立たない色調の画像による不要な領域のマスキング等の処理を行った後、葬儀コンテンツ画像を物品に投影すればよい。
【００５５】
第１実施形態に係る画像投影システムでは、物品１４を直接目視確認しながら、画像を投影する領域を指定する。その操作は直感な操作が可能であるから、作業を迅速に終わらせることができる。また、オペレーターに高い熟練度が求められることはなく、失敗も少なくすることができる。
【００５６】
＜第２実施形態＞
＜画像投影システムの構成例＞
以下、第２実施形態の画像投影システムの構成例を説明する。以下では、第１実施形態の構成例と比較して異なる点についてのみ説明する。
【００５７】
図１及び図２と、図６及び図７を比較すると明らかなように、第２実施形態の画像投影システムは、第１実施形態の画像投影システムに加えて、撮像部３２を備える点が相違する。また、プログラムが、撮像部３２で撮像された物品１４を含む画像（第１投影画像２７、又は第２投影画像２８に相当する画像）を画像表示部３０に表示させる点でも相違する。
【００５８】
図７に示したように、撮像部３２と、画像表示部３０と、入力部１３と、投影部１２と、記憶部１８と、通信部１９と、第２入力部２０とは、それぞれ入力/出力インタフェイス１７に繋げられており、バス１８を介して演算部１５及び記憶手段１６と情報の交換が可能になっている。
【００５９】
撮像部３２は、物品１４と、投影部１２から物品１４に投影された画像とを撮像し、画像処理装置１１に供給する。撮像部３２としては、例えば、ＣＣＤやＣＭＯＳセンサ等の撮像素子と、光学部とを備えており、光学部で集光された映像をセンサに投影するカメラなどの光学素子を使用することができる。
【００６０】
画像表示部３０は、撮像部３２で撮像され、画像処理装置１１を介して供給された物品１４とカーソル像２１を含む画像を表示するものである。また、上記の第１実施形態の画像表示部３０と同様に、プログラムが入力/出力インターフェイス１７を介して、オペレーターに指示を求める際に、ＹＥＳ/ＮＯの選択肢を表示する際にも使用される。
【００６１】
第１実施形態の欄で説明したように、オペレーターがマウス（入力部１３）を操作して、確定座標を指定した後には、確定座標に基づいて生成されたマーカー像２３を含む第２投影画像２８が物品１４に対して投影される。このマーカー像２３とカーソル像２１は、撮像部３２と画像処理装置１１とを介して画像表示部３０に動画として表示される。したがって、オペレーターは、図８に示したように、画像表示部３０に表示された物品１４の画像、カーソル像２１、及びマーカー像２３を含む第２投影画像の動画を目視確認しながら、マウス（入力部１３）を操作して、葬儀コンテンツ画像を投影する領域を指定することが可能である。
【００６２】
第２実施形態に係る投影システムでは、投影部１２及び撮像部３２と画像表示部３０及び入力部１３とを互いに離れた場所に設置することが可能である。したがって、例えば、葬儀会場とは別の部屋で、オペレーターは画像を投影する領域を指定する作業を行うことが可能になる。これにより、例えば、会場に参列者が入っている状況でも、オペレーターは落ち着いて作業を行うことが可能になる。
【００６３】
＜強調したマーカー像とカーソル像の使用＞
第２実施形態の投影システムでは、投影部１２から背景画像２２とカーソル像２１とを含む第１投影画像２７（図３）又は第２投影画像２８（図４）を物品１４に対して投影する。撮像部３２で物品１４とその上に投影されたカーソル像２１やマーカー像２３を撮像する際には、照明を調節して部屋を暗くした状態で、物品１４を撮像することが好ましい。部屋が明るい状態では、物品１４に投影されたカーソル像２１やマーカー像２３が視認し難いことがあるためである。一方で、葬儀会場の都合等で、部屋が極端に暗い状態で作業を行うことを強いられる場合もある。このように部屋が過度に暗い場合は、画像表示部３０に表示された第１投影画像２７又は第２投影画像２８における物品１４の輪郭が見えにくくなり、葬儀コンテンツ画像を投影する領域を入力部１３で指定する作業が困難になることがある。
【００６４】
上記のような場合は、明るい部屋で予め撮像部３２で物品１４の画像を撮像しておき、図９に示したように、その明所における物品１４の画像にコントラストを強調したカーソル像３３及びマーカー像を重畳する処理を行うことが好ましい。以下、その処理について説明する。
【００６５】
まず、最初の処理として、撮像部３２及び投影部１２を制御するプログラムを実行して、明所において物品１４の静止画を撮像し、静止画を記憶手段１６に記憶する（Ｓ１）。このステップに替えて予め明所で撮影した物品の画像を記憶手段１６に記憶させておいてもよい。
【００６６】
ステップ１終了後に、部屋の照明を落とし、プログラムにより、暗所においてカーソル像２１が投影される前の物品１４を撮像部１２に撮像させて、背景差分解析用画像を記憶手段１６に保存させる（Ｓ２）。
【００６７】
ステップ２終了後プログラムに第１実施形態の「画像を投影する領域を指定する処理」の欄に記載したステップ１、ステップ２、及びステップ３と同様の処理を各部に実行させる。これによって、物品１４に対してカーソル像２１と背景画像２２とが重畳された第１表示画像２７（図３）が投影される（Ｓ３）。次に、プログラムは、撮像部３２に第１投影画像２７を撮像させて、撮像した画像を記憶手段１６に保存する（Ｓ４）。
【００６８】
ステップ４終了後、プログラムは、記憶手段１６に記憶されている第１投影画像２７から上記の背景差分解析用画像を差し引くことで画像の差を求め、この差の絶対値を演算部１５に演算させて、演算結果に基づいて差分画像を生成し、これを白黒の２値化した画像に変換して記憶手段に記憶させる（Ｓ５）。白黒の２値化の処理によって、コントラストの差が明確になり、カーソル像の現在座標を正確に抽出することが可能になる。
【００６９】
ステップ５終了後、プログラムは、演算部１２に、差分画像から、カーソル像２１に比べて面積の小さい像を除去させる（Ｓ６）。これにより、差分画像からカーソル像以外のノイズが除去され、正確にカーソル像の現在座標を抽出することが可能になる。
【００７０】
ステップ６終了後、プログラムは、演算部１２にカーソル像２１の重心座標を検知させる処理を実行させて数値化し、カーソル像２１の現在座標を記憶手段１６に保存させる（Ｓ７）。
【００７１】
ステップ７終了後、プログラムは、図９に示したように、演算部１５に、記憶手段１６に記憶されているステップ１における明所における物品１４の静止画に対して、予め記憶手段１６に記憶させておいたコントラストを強調したカーソル像３３をステップ６で得られたカーソル像２１の現在座標に対応する位置に重畳させて、得られた画像を記憶手段１６に保存させて、これを画像表示部３０に表示させる（Ｓ８）。
【００７２】
入力部１３による葬儀コンテンツ画像の投影領域の指定が終わるまで、前記のステップ３からステップ８を繰り返す。これによって、画像表示部３０には、明所で撮像された物品１４の上に強調されたマーカー像３３が重畳された画像がリアルタイムに表示される。強調したマーカー像３３は、入力部１３を操作すると連動して移動するため、オペレーターは強調されたマーカー像３３を画像表示部３０で目視確認しながら、葬儀コンテンツ画像を投影する領域を指定する作業を行うことができる。物品１４の画像は明所で撮像され、強調したマーカー像３３は強調されているため、マーカー像３３と物品１４の視認性は良好である。コントラストを強調したマーカー像３３は、明所で撮像された物品１４の画像に重畳した際に視認性が向上するものであればよい。例えば、明所における物品１４の画像と明度の異なる色彩とすることが好ましい。
【００７３】
なお、図９では、強調したカーソル像を物品の画像１４に重畳する例を示した。カーソルの確定座標に基づいて、コントラストを強調したマーカー像を重畳するには、予め明所で撮蔵された物品１４の画像に対して入力部１３から入力され記憶手段１６に記憶された確定座標に対応する位置にコントラストを強調したマーカー像を演算部１５に重畳させて、得られた画像を記憶手段１６に保存し、画像表示部３０に表示させるとよい。
【００７４】
＜第３実施形態＞
＜画像投影システムの構成例＞
以下、第３実施形態の画像投影システムの構成例を説明する。以下では、第２実施形態の構成例と比較して異なる点についてのみ説明する。
【００７５】
図１０及び図１１と、図６及び図７を比較すると明らかなように、第３実施形態の画像投影システムは、第２実施形態のものに加えて第２画像処理装置１１aを備える点、撮像部３２で撮像された物品１４等を含む画像を表示する画像表示部３０ａ及び入力部１３ａは第２画像処理装置１１aに接続される点、そして第１画像装置１１と第２画像処理装置１１aは、それぞれの通信部１９、１９a及び電気通信回線３４を介して、相互に情報交換可能である点において、第２実施形態のものと相違する。それ以外の点では、各部の構成は第２実施形態の投影システムの構成例と同様である。
【００７６】
電気通信回線３４としては、第１画像処理装置１１と第２画像処理装置１１aとの間で双方向に情報の交換が可能なものであり、例えば、インターネット、Bluetooth（登録商標）による無線接続、イントラネットなどが挙げられる。
【００７７】
図１１に示したように、第１画像処理装置１１は、演算部１５と、記憶手段１６と、入力/主力インターフェイス１７と、演算部１５、記憶手段１６、及び入力/出力インターフェイス１７を繋いで、各部の間で情報交換を可能にする経路となるバス２４と、入力/出力インターフェイス１７に接続される投影部１２と、入力/出力インターフェイス１７に接続される撮像部３２と、入力/出力インターフェイス１７に接続される記憶部１８と、入力/出力インターフェイス１７に接続される通信部１９と、入力/出力インターフェイス１７に接続される第２入力部２０とを備える。
【００７８】
図１１に示したように、投影部１２と撮像部３２と記憶部１８と通信部１９と第２入力部２０とは、それぞれ入力/出力インタフェイス１７に繋げられており、バス１８を介して演算部１５及び記憶手段１６と情報の交換が可能になっている。
【００７９】
図１１に示したように、第２画像処理装置１１ａは、演算部１５ａと、記憶手段１６ａと、入力/主力インターフェイス１７ａと、演算部１５ａ、記憶手段１６ａ、及び入力/出力インターフェイス１７ａを繋いで、各部の間で情報交換を可能にする経路となるバス２４ａと、入力/出力インターフェイス１７ａに接続される記憶部１８ａと、入力/出力インターフェイス１７ａに接続される通信部１９ａと、入力/出力インターフェイス１７ａに接続される第２入力部２０ａと、入力/出力インターフェイス１７ａに接続される入力部１３ａと、入力/出力インターフェイス１７ａに接続される画像表示部３０ａとを備える。
【００８０】
図１１に示したように、入力部１３ａと画像表示部３０ａと記憶部１８ａと通信部１９ａと第２入力部２０ａとは、それぞれ入力/出力インタフェイス１７ａに繋げられており、バス２４ａを介して演算部１５ａ及び記憶手段１６ａと情報の交換が可能になっている。
【００８１】
第３実施形態の画像投影システムでは、第１画像処理装置１１の記憶部１８と、第２画像処理装置１１ａの記憶部１８ａに、それぞれプログラムをインストールして各部にそれぞれ処理を行わせる。その処理は、第２実施形態の画像処理と基本的に同様である。ただし、第３実施形態の画像処理では、第１画像処理装置１１の撮像部１２で撮像した物品１４の画像と物品１４に対して投影されたカーソル像２１の画像との計２点を含む画像（図３の第１投影画像２７に相当）又は物品１４の画像とカーソル像２１の画像とマーカー像２３との計３点を含む画像（図４の第２投影画像２８に相当）は、図１０及び図１１において矢印で示したように、電気通信回線３４を介して第１画像処理装置１１から第２画像処理装置１１ａへと送信される。
【００８２】
具体的には、第１画像処理装置１１に記憶されたプログラムは、演算部１５に、記憶手段１６に記憶された第１投影画像２７又は第２投影画像２８に相当する画像を通信部１９及び電気通信回線３４を介して、第２画像処理装置１１ａに対して送信させる。両画像は、第２画像処理装置１１ａの通信部１９ａ、入力/出力インターフェイス１７ａ、及びバスを介して記憶手段１６ａに記憶され、画像表示部３０に表示される。
【００８３】
オペレーターは、第１画像処理装置１１とは離れた場所に設置された第２画像処理装置１１ａの画像表示部３０に表示された第１投影画像２７又は第２投影画像２８に相当する画像を目視確認しながら、入力部１３を操作して、第２実施形態の方法と同様にして画像を投影する領域を指定する作業を行うことができる。
【００８４】
第２画像処理装置１１ａに記憶されたプログラムは、演算部１５ａにマウス（入力部１３）から入力されたカーソルの現在座標及び/又は確定座標の情報を通信部１９ａ及び電気通信回線３４を介して第１画像処理装置１１に送信させる。
【００８５】
現在座標を受信した第１画像処理装置１１では、プログラムに図３に示したのと同様の処理により第１投影画像２７を生成させ、これを投影部１２から物品１４に対して投影させる。物品１４に投影された第１投影画像２７は第２画像処理装置１１ａに対して送信される。この処理はオペレータが確定座標を１度も指定していない際に行われる。
【００８６】
第１画像処理装置１１が受信した情報に現在座標に加えて確定座標が含まれるときには、プログラムに図４に示したのと同様の処理により第２投影画像２８を生成させてこれを投影部１２から物品１４に対して投影させる。物品１４に投影された第２投影画像２８は第２画像処理装置１１ａに対して送信される。この処理は、オペレータにより確定座標が１度以上指定された場合に行われる。
【００８７】
第１画像処理装置１１と第２画像処理装置１１ａの間では、以上のような、第１投影画像２７又は第２投影画像２８に相当する画像と、現在座標及び/又は確定座標の送受信が繰り返し行われる。これによって、オペレーターによるマウス（入力部１３）の操作が、リアルタイムに第２画像処理装置１１ａに接続された画像表示部上のマーカー像とカーソル像とに反映される。オペレーターにはカーソル像の移動は動画のように認識される。これにより、葬儀会場に設置された第１画像処理装置１１とは、離れた場所にある第２画像処理装置１１ａを使用して、画像を投影する領域を指定することが可能になる。したがって、オペレーターが葬儀会場に赴かなくても、プロジェクションマッピングを使用した安価かつ優れた視覚的効果を発揮する葬儀サービスを遠隔地の顧客に対して提供することが可能になる。上述の通り、葬儀コンテンツ画像画像を投影する領域を指定する作業は、極めて簡単であるので、迅速かつ確実に行うことができる。
【００８８】
＜第４実施形態＞
第４実施形態の画像投影システムの構成は、第３実施形態の画像処理システムと同じであるが、第１画像処理装置１１から第２画像処理装置１１ａに対して電気通信回線３４を介して送信される情報が異なる。
【００８９】
第３実施形態の方法では、撮像部３２で撮像した動画を、電気通信回線３４を介して第２画像処理装置１１ａに対して送信するものである。第４実施形態の方法では、第１画像処理装置１１から第２画像処理装置１１ａに送信される情報を、図１２及び図１３に示したように、物品１４の静止画と、第１画像処理装置１１で抽出したカーソル像２１の現在座標に変更した。以下、詳細に説明する。
【００９０】
第１画像処理装置１１では、プログラムが撮像部３２で撮像した物品１４とカーソル像２１とを含む第１投影画像２７に相当する画像からカーソル像２１の現在座標とマーカー像の座標を抽出する処理を演算部１５に行わせる。具体的な処理は、上記の「強調したマーカー像とカーソル像の使用」の欄に記載したステップ１からステップ７と同様の処理をプログラムに行わせる。これによって、第１投影画像２７におけるカーソル像２１の現在座標とマーカー像の座標が抽出される。プログラムは、演算部１５に、この現在座標の情報と、マーカー像の座標の情報と、上記の「強調したマーカー像とカーソル像」の欄に記載したステップ１の方法で得られた明所における物品１４の静止画とを、通信部１９から第２画像処理装置１１ａに送信させる。なお、物品１４の静止画は初回の通信時のみ第２画像処理装置１１ａに送信し、記憶手段１６に保存する。なお、マーカー像の座標の抽出とその送信とマーカー像の投影は、入力部１３ａでオペレータにより確定座標が１回以上入力された場合に行う。
【００９１】
第２画像処理装置１１ａのプログラムは、物品の静止画と抽出したカーソル像２１の現在座標を受信すると、演算部１５ａによって記憶手段１６ａに記憶させる。マーカー像から抽出したマーカーの座標を受信したときは同様に記憶手段１６ａに記憶させる。次いで、プログラムは、演算部１５ａに、上記の「強調したマーカー像とカーソル像の使用」の欄に記載したステップ８の処理を行わせる。これによって、第２画像処理装置１１ａの画像表示部３０に、明所における物品１４の静止画とコントラストを強調したカーソル像３３とを重畳した画像が表示される。前記のマーカーの座標も受信しているときには強調したマーカー像も重畳され画像表示部３０ａに表示される。コントラストを強調したカーソル像３３は、物品に投影された強調したカーソル像２１の現在位置を示す。強調したマーカー像は、確定座標の位置を示す。なお、マーカー像の座標の重畳は、オペレーターによって入力部で確定座標が１回以上入力された場合に行う。
【００９２】
オペレーターがマウス（入力部１３ａ）を操作すると、第３実施形態に係る処理方法と同様に現在座標が第１画像処理装置１１に送信され、その結果が画像表示３０ａに反映される。このため、オペレーターは、第２画像処理装置１１ａに接続された画像表示部３０ａでリアルタイムに物品１４の上に投影されているカーソル像２１を知ることができる。
【００９３】
オペレーターは、第２画像処理装置１１ａの画像表示部３０に表示された明所における物品１４と強調したカーソル像３３と強調したマーカー像とを目視確認しながら、画像を投影する領域を指定する作業を実施することができる。上述と同様に、この方法では強調したカーソル像等を使用するため、葬儀会場が極端に暗いような場合でも、円滑に作業を行うことが可能である。この方法において、電気通信回線を介して、送受信される情報は、図１２及び図１３に示したように、現在座標、確定座標、物品１４の静止画、抽出したマーカーの座標、及び抽出したカーソル像の現在座標である。なお、静止画については、初回の通信時に１回送信して第２画像処理装置１１ａに保存しておけば、以後は送信する必要はない。したがって、送受信されるデータ量が小さくなるため、電気通信回線の送受信速度を律速の要因とする処理の遅延が生じることを防ぐことが可能になる。
【００９４】
＜第５実施形態＞
第５実施形態の画像投影システムの構成は、第４実施形態の画像処理システムと同じであるが、第２画像処理装置１１ａから第１画像処理装置１１に対して電気通信回線３４を介して送信される情報が異なる。
【００９５】
第４実施形態の方法では、確定座標と現在座標とを、電気通信回線３４を介して第２画像処理装置１１ａから第１画像処理装置１１に対して送信した。そして、第４実施形態の方法では、確定座標を受信した第１画像処理装置１１において、プログラムが確定座標を基にマーカー像を背景画像に重畳して投影部１２から投影させた。
【００９６】
第５実施形態の方法では、第２画像処理装置１１ａから第１画像処理装置１１に送信される情報を、図１４及び図１５に示したように、カーソルの現在座標に変更した。これにより、第１画像処理装置１１に接続された投影部１２から投影される画像は、カーソル像２１と背景画像２２とを重畳した第１投影画像２７（図３）となり、マーカー像２３を含まなくなる。それに替えて、本実施形態の方法では、第２画像処理装置に記憶されたプログラムが第２画像処理装置１１ａの画像表示部３０に強調したマーカー像２３を表示させる。
【００９７】
具体的には、第２画像処理装置１１ａの入力部１３から確定座標が入力されると、プログラムが演算部１５ａに確定座標を記憶手段１６ａに記憶させる。第４実施形態の方法と同様にして、第１画像処理装置１１において、第１投影画像２７からカーソル像の現在座標が抽出され、その現在座標は第２画像処理装置１１ａの記憶手段１６ａに記憶される。そして、第４実施形態の方法と同様にして、明所で予め撮像した物品１４の静止画も第２画像処理装置１４の記憶手段１６ａに記憶される。
【００９８】
第２画像処理装置１１ａのプログラムは、演算部１５ａに、記憶手段１６ａに記憶されている現在座標に基づいて、情報物品の静止画に対して現在座標に対応する位置に強調したマーカー像３３を重畳させ、これを記憶手段１６ａに記憶させ、画像表示部３０に表示させる。
【００９９】
オペレーターは、第２画像処理装置１１ａに接続された画像表示部３０に表示された強調したカーソル像３３と強調したマーカー像と明所で撮像された物品１４の静止画とが重畳された画像を目視確認しながら、画像を投影する領域を指定することができる。このため、第１画像処理装置１１から第２画像処理装置１１ａに対して、抽出したマーカー像の座標を送信する必要もなくなる。したがって、第５実施形態の方法では、電気通信回線３４を介して送受信されるデータ量をさらに小さくすることが可能になる。このため、電気通信回線の通信速度を律速とする処理の遅延を防ぐことが可能になる。
【符号の説明】
【０１００】
１１      画像処理装置
１１ａ    第２画像処理装置
１２      投影部
１２ａ    投影部（第２画像処理装置）
１３      入力部
１３ａ    入力部（第２画像処理装置）
１４      葬儀で使用する物品
１５      演算部
１５ａ    演算部（第２画像処理装置）
１６      記憶手段
１６ａ    記憶手段（第２画像処理装置）
１７      入力/出力インターフェイス
１７ａ    入力/出力インターフェイス（第２画像処理装置）
１８      記憶部
１８ａ    記憶部（第２画像処理装置）
１９      通信部
１９ａ    通信部（第２画像処理装置）
２０      第２入力部
２０ａ    第２入力部（第２画像処理装置）
２１      カーソル像
２２      背景画像
２３      マーカー像
２４      バス
２５      記憶媒体
２６      背景画像
２７      第１投影画像
２８      第２投影画像
２９      第３投影画像
３０      画像表示部
３１      画像を投影する領域を示す図形
３２      撮像部
３３      強調したカーソル像
３４      電気通信回線
【図１】
2018129764.tif 000003
【図２】
2018129764.tif 000004
【図３】
2018129764.tif 000005
【図４】
2018129764.tif 000006
【図５】
2018129764.tif 000007
【図６】
2018129764.tif 000008
【図７】
2018129764.tif 000009
【図８】
2018129764.tif 000010
【図９】
2018129764.tif 000011
【図１０】
2018129764.tif 000012
【図１１】
2018129764.tif 000013
【図１２】
2018129764.tif 000014
【図１３】
2018129764.tif 000015
【図１４】
2018129764.tif 000016
【図１５】
2018129764.tif 000017